(57)【要約】【課題】屋外の環境に拘わらず、屋外に設置された室外機に液体を確実に到達させることができる噴射装置を提供する。【解決手段】風が遮断された包囲体２の内側にて噴霧ノズル５から液体を噴射し、液体を冷却フィン１４に確実に付着させることができる。冷却フィン１４に付着した液体は蒸発するので、気化熱によって冷却フィン１４の熱交換の効率を向上させることができる。また通気孔２３から空気を吸入して、室外機１０の風量を確保する構成とした。【選択図】図２
2011163731.tif 000002
【特許請求の範囲】
【請求項１】
ポンプから供給された液体をノズルから室外機へ噴射する噴射装置において、
前記ノズルから噴射された液体を囲う包囲体を備えることを特徴とする噴射装置。
【請求項２】
前記包囲体の一部に開口を設けてあり、
前記開口に対向する前記包囲体の他部に前記ノズルが配置される穴を設けてあること
を特徴とする請求項１に記載の噴射装置。
【請求項３】
前記穴の縁部分から前記開口側へ突出した筒部を備えることを特徴とする請求項２に記載の噴射装置。
【請求項４】
前記包囲体の他部に孔が設けてあることを特徴とする請求項２又は３に記載の噴射装置。 
【発明の詳細な説明】
【技術分野】
【０００１】
本発明は液体を噴射する噴射装置に関する。
【背景技術】
【０００２】
屋外に室外機を設置する空気調和機は、室外機に設けた熱交換器にて空気の熱交換を行い、適温にした空気を室内へ供給している。一般に空気調和機の運転は電力によって行われ、空気調和機の消費電力は、熱交換の効率性によって変動する。従来、熱交換器に液体を噴射する噴射装置が提案されており、該噴射装置から熱交換器に噴射された液体は蒸発し、気化熱によって熱交換の効率性が向上する（特許文献１参照）。
【先行技術文献】
【特許文献】
【０００３】
【特許文献１】特開２００９−２４３７５４号公報
【発明の概要】
【発明が解決しようとする課題】
【０００４】
特許文献１に記載の噴射装置は、噴霧ノズルから霧状の液体を噴射するようにしてある。そのため屋外にて風が発生している場合に、噴霧ノズルから噴射された液体は風に流されて熱交換器に到達せず、熱交換の効率性を向上させることができない。
【０００５】
本発明は斯かる事情に鑑みてなされたものであり、屋外の環境に拘わらず、屋外に設置された室外機へ液体を確実に到達させることができる噴射装置を提供することを目的とする。
【課題を解決するための手段】
【０００６】
本発明に係る噴射装置は、ポンプから供給された液体をノズルから室外機へ噴射する噴射装置において、前記ノズルから噴射された液体を囲う包囲体を備えることを特徴とする。
【０００７】
本発明においては、ノズルから噴射された液体を包囲体によって風などの屋外環境から保護し、液体を室外機に確実に到達させる。
【０００８】
本発明に係る噴射装置は、前記包囲体の一部に開口を設けてあり、前記開口に対向する前記包囲体の他部に前記ノズルが配置される穴を設けてあることを特徴とする。
【０００９】
本発明においては、包囲体の開口を室外機に対向させて、開口に対向する包囲体の他部に設けた穴にノズルを配置することによって、ノズルから噴射された液体は開口を通過し、室外機に到達する。
【００１０】
本発明に係る噴射装置は、前記穴の縁部分から前記開口側へ突出した筒部を備えることを特徴とする。
【００１１】
本発明においては、穴に配置されたノズルから液体が噴射された場合に、筒部の突出端部側が負圧となり、気流が発生する。発生した気流によって液体は加速する。
【００１２】
本発明に係る噴射装置は、前記包囲体の他部に孔が設けてあることを特徴とする。
【００１３】
本発明においては、室外機は孔から円滑に空気を取り込む。
【発明の効果】
【００１４】
本発明に係る噴射装置にあっては、ノズルから噴射された液体を包囲体によって風などの屋外環境から保護し、液体を室外機に確実に到達させることができる。
【００１５】
本発明に係る噴射装置にあっては、包囲体の開口を室外機に対向させて、開口に対向する包囲体の他部に設けた穴にノズルを配置することによって、ノズルから噴射された液体は開口を通過し、室外機に到達するので、液体を無駄にすることなく、効率良く噴射することができる。
【００１６】
本発明に係る噴射装置にあっては、穴に配置されたノズルから液体が噴射された場合に、筒部の突出端部側が負圧となり、気流が発生する。発生した気流によって液体は加速するので、液体が霧状になっている場合でも、空気抵抗に抗して液体を室外機に付着させることができる。
【００１７】
本発明に係る噴射装置にあっては、室外機は孔から円滑に空気を取り込んで風量を確保することができ、また取り込んだ空気の気流によって、液体を加速させることができる。
【図面の簡単な説明】
【００１８】
【図１】実施の形態１に係る噴射装置の略示斜視図である。
【図２】実施の形態１に係る噴射装置の略示縦断面図である。
【図３】実施の形態２に係る噴射装置の略示斜視図である。
【図４】実施の形態２に係る噴射装置の略示縦断面図である。
【発明を実施するための形態】
【００１９】
（実施の形態１）
以下本発明を実施の形態１に係る噴射装置を示す図面に基づいて詳述する。図１は噴射装置の略示斜視図、図２は噴射装置の略示縦断面図である。
【００２０】
図において１は噴射装置であり、該噴射装置１は、一面全体に開口２１を形成した矩形箱状の包囲体２を備えている。前記開口２１の面積は、後述する室外機１０の吸気口１２の面積と略同じかまたは吸気口１２の面積よりも大きい。前記一面に対向する包囲体２の他面には、矩形横長の穴２２、２２が上下に二つ並設してあり、また多数の通気孔２３、２３、・・・、２３が設けてある。包囲体２の一面は他面よりも面積が大きく、包囲体２の側面の一部又は全部が傾斜し、他面から一面に向かうに従って包囲体２が拡幅している。包囲体２の側面の傾斜角は、後述する噴霧ノズル５から噴霧された液体の噴射角度を考慮して設定されており、噴射された液体が可能な限り側面に付着しないようにしてある。
【００２１】
噴射装置１はポンプ３を備えており、該ポンプ３には導水管４が接続してある。該導水管４は、前記穴２２に平行になるように分岐しており、分岐した管は、包囲体２の外側において各穴２２、２２に対向している。分岐した管には複数の噴霧ノズル５、５、・・・、５が接続してある。該噴霧ノズル５は、分岐した管から穴２２に向けて突出している。噴霧ノズル５の先端部は穴２２に挿通している。なお穴２２は、噴霧ノズル５の噴霧範囲を考慮して設計してあり、噴霧ノズル５から噴射された液体が後述する吸気口１２の内側を通過するようにしてある。
【００２２】
ポンプ３には水源から液体が供給されている。ポンプ３は、供給された液体を導水管４に送出する。送出された液体は、図２の破線にて示すように、包囲体２の内側において噴霧ノズル５から霧状に噴射される。
【００２３】
包囲体２は室外機１０に隣接している。室外機１０は筐体１１を備えており、該筐体１１の一側面に吸気口１２を設けてある。該吸気口１２には、異物の吸入を防止する吸気網１３が設けてある。該吸気網１３に熱交換器の冷却フィン１４が隣接しており、冷却フィン１４は筐体１１の内側に位置している。筐体１１の上側面には排気口１５が設けてあり、該排気口１５の縁から排気筒１６が上側に突出している。該排気筒１６の内側にファン１７が設けてある。排気筒１６の上端部には安全のための排気網１８が設けてある。筐体１１の下面には室外機１０を支持する複数の支持脚１９が設けてある。
【００２４】
ファン１７の駆動によって、室外機１０は吸気口１２から空気を吸入する。吸入された空気は、冷却フィン１４を冷却し、排気口１５及び排気筒１６を通流して排出される（図２の白抜矢符参照）。包囲体２の開口２１は前記吸気口１２に対向しており、噴霧ノズル５から噴射された液体は空気と共に吸気口１２に吸入され、冷却フィン１４に付着し、蒸発する。
【００２５】
実施の形態１に係る噴射装置１にあっては、噴霧ノズル５から噴射された液体は、風が遮断された包囲体２の内側にて噴射されるので、噴射された液体は冷却フィン１４に確実に付着する。冷却フィン１４に付着した液体は蒸発するので、気化熱によって冷却フィン１４の熱交換の効率を向上させることができる。
【００２６】
また実施の形態１に係る噴射装置１にあっては、包囲体２の一面に設けた開口２１を冷却フィン１４に対向させて、包囲体２の他面に設けた穴２２に噴霧ノズル５を配置することによって、噴霧ノズル５から噴射された液体は開口２１を通過し、冷却フィン１４に付着する。噴霧ノズル５の噴霧範囲を考慮して、穴２２を設計することで吸気口１２の内側に液体を噴射することができ、液体を無駄にすることなく効率良く噴射することができる。
【００２７】
また実施の形態１に係る噴射装置１にあっては、室外機１０は多数の通気孔２３から円滑に空気を取り込んで風量を確保することができ、また取り込んだ空気の気流によって、噴霧ノズル５から噴射された液体を加速させることができる。加速した液体は、空気抵抗に抗して冷却フィン１４に付着する。
【００２８】
（実施の形態２）
以下本発明を実施の形態２に係る噴射装置１を示す図面に基づいて詳述する。図３は噴射装置１の略示斜視図、図４は噴射装置１の略示縦断面図である。
【００２９】
包囲体２の他面には横方向に沿って複数の円形の穴２５、２５、・・・、２５が二列に並んでいる。導水管４は分岐しており、分岐した管は、穴２５の各列に沿って包囲体２の外側に位置している。分岐した管は穴２５の各列に対向しており、分岐した管には複数の噴霧ノズル５、５、・・・、５が接続してある。各噴霧ノズル５の先端部は前記穴２５にそれぞれ挿通している。
【００３０】
包囲体２の内側において、各穴２５の縁部分から筒部２６が開口２１に向けて突出している。噴霧ノズル５の先端部は、噴霧ノズル５から噴射された液体が筒部２６に衝突しないように、筒部２６の内側に位置している。
【００３１】
実施の形態２に係る噴射装置１にあっては、穴２５に配置された噴霧ノズル５から液体が噴射された場合に、筒部２６の突出端部側が負圧となる。そのため図４の矢印にて示すように、筒部２６の内側に空気が吸入され、高速の気流が発生する。発生した気流によって液体は加速するので、液体が霧状になっている場合でも、空気抵抗に抗して液体を冷却フィン１４に付着させることができる。
【００３２】
実施の形態２に係る噴射装置１の構成の内、実施の形態１と同様な構成については同じ符号を付し、その詳細な説明を省略する。
【００３３】
なお実施の形態１及び２に係る噴射装置１は、包囲体２の側面の一部又は全部が傾斜しているが、傾斜していなくても良い。また実施の形態１及び２に係る噴射装置１は、通気孔２３を包囲体２の他面に設けているが、包囲体２の上面に更に通気孔２３を設けても良い。また実施の形態１及び２に係る噴射装置１の包囲体２は矩形箱状をなしているが、包囲体２はその他の形状（例えば球体状）をなしてもよい。また実施の形態１及び２に係る噴射装置１は、霧状に液体を噴射しているが、これに限定されるものではなく、例えばシャワー状に液体を噴射しても良い。また包囲体２の内側を通過する液体は、風のみならず、雨及び紫外線などの環境変化からも保護されることは言うまでもない。
【００３４】
実施の形態１及び２に係る噴射装置１は、噴霧ノズル５を配置する専用の穴と専用の通気孔とを包囲体２の他面に設ける構成であっても良く、包囲体２の他面に多数の孔を設けて、多数の孔の内、液体の噴霧に適した孔を噴霧ノズル５を配置する穴として使用し、残余の孔を通気孔として使用する構成であっても良い。
【００３５】
以上説明した実施の形態は本発明の例示であり、本発明は特許請求の範囲の記載に基づいて定まる範囲内において種々変更した形態で実施することができる。
【符号の説明】
【００３６】
１  噴射装置
２  包囲体
３  ポンプ
４  導水管
５  噴霧ノズル
２２、２５  穴
２３  通気孔（孔）
２６  筒部
【図１】
2011163731.tif 000003
【図２】
2011163731.tif 000004
【図３】
2011163731.tif 000005
【図４】
2011163731.tif 000006